【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
インク滴を吐出するためのエネルギーを発生する複数の第１の記録素子と、前記第１の記録素子よりも大きなインク滴の吐出に対応して設けられてインク滴を吐出するためのエネルギーを発生する複数の第２の記録素子とを有する記録ヘッドを用い、記録媒体に対して大きさの異なるインク滴を吐出して記録を行うインクジェット記録装置であって、
複数の前記第１の記録素子と複数の前記第２の記録素子とが異なるブロックに属するよう、複数の前記第１および第２の記録素子を複数のブロックに分割し、分割された前記ブロック毎に時分割で駆動する時分割駆動手段と、
複数の前記第１の記録素子からなるブロックを、複数の前記第２の記録素子からなるブロックよりも先に駆動するよう前記時分割駆動手段による前記ブロック毎の駆動を制御する制御手段と、
を有することを特徴とするインクジェット記録装置。
【請求項２】
前記記録ヘッドは、
各記録素子にインクを供給するインク流路と、前記インク流路にインクを供給するためのインク供給路と、を有し、
複数の前記第１の記録素子にインクを供給するインク流路は、複数の前記第２の記録素子にインクを供給するインク流路よりも長いことを特徴とする請求項１に記載のインクジェット記録装置。
【請求項３】
前記記録ヘッドは、前記記録素子に対応した吐出口を有し、
複数の前記第１の記録素子に対応した吐出口は、複数の前記第２の記録素子に対応した吐出口よりも小さいことを特徴とする請求項１に記載のインクジェット記録装置。
【請求項４】
前記記録ヘッドを往復移動させる走査手段をさらに有し、
前記制御手段は、前記記録ヘッドが往路方向に移動する際は、前記往路方向に対して下流側に位置する記録素子からなるブロックを、複数の前記第１の記録素子からなるブロックとして、複数の前記第２の記録素子からなるブロックよりも先に駆動するように制御し、前記記録ヘッドが復路方向に移動する際は、前記復路方向に対して下流側に位置する記録素子からなるブロックを、複数の前記第１の記録素子からなるブロックとして、複数の前記第２の記録素子からなるブロックよりも先に駆動するように制御することを特徴とする請求項１に記載のインクジェット記録装置。
【請求項５】
前記記録ヘッドには、
複数の前記第１の記録素子と複数の前記第２の記録素子とを配列した、１の記録素子列が設けられることを特徴とする請求項１乃至請求項４のいずれか１項に記載のインクジェット記録装置。
【請求項６】
インク滴を吐出するためのエネルギーを発生する複数の第１の記録素子と、前記第１の記録素子よりも大きなインク滴の吐出に対応して設けられてインク滴を吐出するためのエネルギーを発生する複数の第２の記録素子とを有する記録ヘッドを用い、制御手段が前記記録ヘッドの駆動を制御することにより、記録媒体に対して大きさの異なるインク滴を吐出して記録を行うインクジェット記録装置における駆動制御方法であって、
前記記録ヘッドの駆動を、複数の前記第1の記録素子と複数の前記第２の記録素子とが異なるブロックに属するよう、複数の前記第1および第２の記録素子を複数のブロックに分割し、分割された前記ブロック毎に時分割で駆動するとともに、複数の前記第1の記録素子からなるブロックを、複数の前記第２の記録素子からなるブロックよりも先に駆動するよう前記制御手段により前記記録ヘッドの駆動を制御することを特徴とする駆動制御方法。
【手続補正２】
【補正対象書類名】明細書
【補正対象項目名】００３３
【補正方法】変更
【補正の内容】
【００３３】
具体的に、上記目的を達成するための本発明は、インク滴を吐出するためのエネルギーを発生する第１の記録素子と、複数の前記第１の記録素子よりも大きなインク滴の吐出に対応して設けられてインク滴を吐出するためのエネルギーを発生する複数の第２の記録素子とを有する記録ヘッドを用い、記録媒体に対して大きさの異なるインク滴を吐出して記録を行うインクジェット記録装置であって、
複数の前記第１の記録素子と複数の前記第２の記録素子とが異なるブロックに属するよう、複数の前記第１および第２の記録素子を複数のブロックに分割し、分割された前記ブロック毎に時分割で駆動する時分割駆動手段と、
複数の前記第１の記録素子からなるブロックを、複数の前記第２の記録素子からなるブロックよりも先に駆動するよう前記時分割駆動手段による前記ブロック毎の駆動を制御する制御手段と、
を有することを特徴とするインクジェット記録装置である。
【手続補正３】
【補正対象書類名】明細書
【補正対象項目名】００３４
【補正方法】変更
【補正の内容】
【００３４】
また、上記目的を達成するための別の本発明は、インク滴を吐出するためのエネルギーを発生する複数の第１の記録素子と、前記第１の記録素子よりも大きなインク滴の吐出に対応して設けられてインク滴を吐出するためのエネルギーを発生する複数の第２の記録素子とを有する記録ヘッドを用い、制御手段が前記記録ヘッドの駆動を制御することにより、記録媒体に対して大きさの異なるインク滴を吐出して記録を行うインクジェット記録装置における駆動制御方法であって、
前記記録ヘッドの駆動を、複数の前記第1の記録素子と複数の前記第２の記録素子とが異なるブロックに属するよう、複数の前記第1および第２の記録素子を複数のブロックに分割し、分割された前記ブロック毎に時分割で駆動するとともに、複数の前記第1の記録素子からなるブロックを、複数の前記第２の記録素子からなるブロックよりも先に駆動するよう前記制御手段により前記記録ヘッドの駆動を制御することを特徴とする駆動制御方法である。
【手続補正４】
【補正対象書類名】明細書
【補正対象項目名】００９２
【補正方法】変更
【補正の内容】
【００９２】
図２０は、本実施例における、吐出口列１０２の２５６の吐出口が対応している駆動ブロックと、駆動ブロックを時分割駆動させる場合のタイミングチャートを示したものである。このとき吐出口群７０２Ａと、吐出口群７０２Ｂの相対的な吐出速度差による着弾位置のずれを考慮し駆動ブロック順を、ブロック３、ブロック７、ブロック１、ブロック５、ブロック０、ブロック４、ブロック２、ブロック６の順で設定した。この場合も吐出口群７０２Ａと７０２Ｂとの記録ヘッドの走査方向の配置（千鳥配置）ずれによる着弾位置のずれはあらかじめ駆動タイミングをずらすことでインクドットが同一カラムへ着弾するよう調整をしておく。
【手続補正５】
【補正対象書類名】明細書
【補正対象項目名】０１００
【補正方法】変更
【補正の内容】
【０１００】
図２２は、本実施例における、吐出口列１０２の大小それぞれ１２８の吐出口群が対応している駆動ブロックと、駆動ブロックを時分割駆動させる場合のタイミングチャートを示したものである。このとき大吐出口群１３０２Ａと、小吐出口群１３０２Ｂとから吐出されるインクドットにおいて、インクドットが着弾するまでの速度低下の差による着弾位置のずれの大小がある。このため、着弾位置のずれの大小を考慮した駆動ブロック順を、ブロック１、ブロック５、ブロック３、ブロック７、ブロック４、ブロック６、ブロック０、ブロック２の順で設定した。この場合も吐出口群１３０２Ａと１３０２Ｂとの走査方向の配置（千鳥配置）ずれによる着弾位置のずれはあらかじめ駆動タイミングをずらすことでインクドットが同一カラムへ着弾するよう調整をしておく。
【手続補正６】
【補正対象書類名】明細書
【補正対象項目名】０１０７
【補正方法】変更
【補正の内容】
【０１０７】
１回の走査記録において吐出口列１０２を同一のタイミングで駆動するとき、吐出口群７０２Ａと吐出口群７０２Ｂとから吐出されるインクドットの吐出方向は図２４で示したように大きく異なっている。ある走査で記録ヘッドが図２４中の矢印で示す左から右へ移動する場合を例にあげて説明すると、吐出口群７０２Ａから吐出されるインクドットは吐出口の垂直下向き方向に対し相対的に上流側（図中右側）へと吐出される傾向をもつ。また、吐出口群７０２Ｂから吐出されるインクドットは相対的に下流側（図中左側）へと吐出される傾向をもつ。なお、吐出口群７０２Ａから吐出されるインクドットは、吐出口群７０２Ｂから吐出されるインクドットに比べ運動エネルギーが大きい。これは、記録ヘッドの移動によって、吐出口群７０２Ａから吐出されるインクドットは吐出速度が上がり、吐出口群７０２Ｂから吐出されるインクドットは吐出速度が下がることに起因する。
【手続補正７】
【補正対象書類名】明細書
【補正対象項目名】０１０９
【補正方法】変更
【補正の内容】
【０１０９】
図２０は、本実施例における、吐出口列１０２の２５６の吐出口が対応している駆動ブロックと、駆動ブロックを時分割駆動させる場合のタイミングチャートを示したものである。この場合も吐出口群７０２Ａと７０２Ｂとの走査方向の配置（千鳥配置）ずれによる着弾位置のずれは、あらかじめ駆動タイミングをずらすことでインクドットが同一カラムへ着弾するよう調整をしておく。